(57)【要約】【課題】  複数の発光素子を回転させることで映像を表示可能な回転型表示装置を提供すること。【解決手段】  回転型表示装置１は、台座２と、台座２上に回転可能に支持された回転体３と、回転体３を回転させるモータ４とを備える。回転軸６がモータ４により回転駆動され、回転体３が回転中心７を中心に回転する。回転体３は、回転中心７に垂直な２つの辺５ａ、５ｂを有する直方体形状の回転パネル５からなる。２つの辺５ａ、５ｂの一方に、複数のＬＥＤ素子８が回転中心７を通る線上に一列に配列されている。回転体を回転させながら、表示させる映像に応じて、回転中心７を通る線上に一列に配列された複数のＬＥＤ素子８の発光、非発光を制御することで、回転体３の１／２回転ごとに１画像が表示される。【選択図】      図１
2005308980.tif 000002
【特許請求の範囲】
【請求項１】
回転型表示装置において、
回転可能に支持された回転体と、
前記回転体の前記回転中心に垂直な辺或いは面に、前記回転中心から径方向に少なくとも一列に配列した複数の発光素子と、
を備えることを特徴とする回転型表示装置。
【請求項２】
請求項１に記載の回転型表示装置において、
前記回転体は、前記回転中心に垂直な２つの辺を有する直方体形状の１つの回転パネルからなり、前記回転体の２つの辺の少なくとも一方に、複数の発光素子が前記回転中心を通る線上に一列に配列されていることを特徴とする回転型表示装置。
【請求項３】
請求項１に記載の回転型表示装置において、
前記回転体は、複数の回転パネルの辺が前記回転中心を中心にして放射状に等角度で配置されるように一体化した形状を有し、
前記回転体における複数の辺に発光素子がそれぞれ一列に配列されていることを特徴とする回転型表示装置。
【請求項４】
請求項３に記載の回転型表示装置において、
前記回転体は、直方体形状の３つの回転パネルを含むことを特徴とする回転型表示装置。
【請求項５】
請求項３に記載の回転型表示装置において、
前記回転体は、直方体形状の４つの回転パネルを含むことを特徴とする回転型表示装置。
【請求項６】
請求項１〜５のいずれか１つに記載の回転型表示装置において、
前記辺に一列に配列されている前記複数の発光素子の発光強度を、前記回転中心を中心にして外側ほど強くすることを特徴とする回転型表示装置。
【請求項７】
請求項１〜５のいずれか１つに記載の回転型表示装置において、
前記辺に一列に配列されている前記複数の発光素子の配置密度を、前記回転中心を中心にして外側ほど密にすることを特徴とする回転型表示装置。
【請求項８】
請求項１〜５のいずれか１つに記載の回転型表示装置において、
前記辺に一列に配列されている前記複数の発光素子の表示周期を、前記回転中心を中心にして外側ほど短くすることを特徴とする回転型表示装置。
【請求項９】
請求項２に記載の回転型表示装置において、
前記直方体形状の１つの回転パネルの両面の少なくとも一方がディスプレイとなっており、前記ディスプレイが、異なる方向から撮影した画像を前記回転体の回転周期に同期して表示する回転表示部であることを特徴とする回転型表示装置。
【請求項１０】
請求項３に記載の回転型表示装置において、
前記複数の回転パネルの両面がそれぞれディスプレイとなっており、これら複数のディスプレイのうち、隣接する２つのディスプレイにより、異なる方向から撮影した画像を前記回転体の回転周期に同期して表示する１つの回転表示部がそれぞれ構成されていることを特徴とする回転型表示装置。
【請求項１１】
請求項９又は１０に記載の回転型表示装置において、
前記複数の発光素子が一列に配列される前記辺を、前記回転中心に垂直な方向に対して傾斜させたことを特徴とする回転型表示装置。
【請求項１２】
請求項１に記載の回転型表示装置において、
前記回転体は、前記回転中心に沿った方向に離れた両側に、前記回転中心に垂直な１つの面をそれぞれ有する円柱体或いは多角形状の柱状体であり、前記回転体の両側の少なくとも一方の面に、前記複数の発光素子が前記回転中心を通って一列或いは複数列に配列されていることを特徴とする回転型表示装置。
【請求項１３】
請求項１２に記載の回転型表示装置において、
前記回転体の外周に複数のディスプレイが形成されており、前記複数のディスプレイの各々が、異なる方向から撮影した画像を前記回転体の回転周期に同期してそれぞれ表示する１つの回転表示部であることを特徴とする回転型表示装置。
【発明の詳細な説明】
【技術分野】
【０００１】
本発明は、３次元的な表示を行う回転型表示装置に関する。
【背景技術】
【０００２】
従来、ＬＥＤアレイを動かすことによる残像効果を利用して、所望の像を表示する技術が知られている（特許文献１参照）。
また、２次元の画像を撮影された方向に直接表示する表示部を回転させる回転型表示装置が知られている（非特許文献１）。この回転型表示装置では、ノート型パソコン（パーソナルコンピュータ）を回転させ、その表示部（平面ディスプレイ）に異なる方向から撮影した画像をノート型パソコンの回転周期に同期して表示させる。これにより、観察者の位置（視点位置）により異なる映像、例えば人物を異なる方向から撮影した人物の前後左右像を観察できる。
【特許文献１】欧州特許出願公開第０  ５４６  ８４４  Ａ２号明細書
【非特許文献１】日本バーチャルリアリティ学会第８回大会論文集（２００３年９月）、ｐｐ．１１５−１１８
【発明の開示】
【発明が解決しようとする課題】
【０００３】
ところで、上記特許文献１には、ＬＥＤアレイを設けた棒状体（バトン）を人間が揺動させることで、所望の像を表示する技術が開示されている。しかし、この特許文献１には、回転体に複数の発光素子を設けた構成は開示されていない。
【０００４】
また、上記非特許文献１では、直視型平面ディスプレイを回転させて、異なる方向から撮影した画像を平面ディスプレイの回転周期に同期して表示させる技術が開示されている。しかし、この非特許文献１には、回転体である直視型平面ディスプレイの表示面以外で映像を表示させる構成は開示されていない。
【０００５】
本発明は、上記従来の問題点に着目してなされたもの、その目的は、複数の発光素子を回転させることで映像を表示可能な回転型表示装置を提供することにある。
【課題を解決するための手段】
【０００６】
本発明における回転型表示装置は、回転可能に支持された回転体と、前記回転体の前記回転中心に垂直な辺或いは面に、前記回転中心から径方向に少なくとも一列に配列した複数の発光素子と、を備えることを要旨とする。
【０００７】
これによれば、回転体を回転させながら、表示させる映像に応じて複数の発光素子の発光、非発光を制御することにより、画像を表示させることができる。
この回転型表示装置において、前記回転体は、前記回転中心に垂直な２つの辺を有する直方体形状の１つの回転パネルからなり、前記回転体の２つの辺の少なくとも一方に、複数の発光素子が前記回転中心を通る線上に一列に配列されていることを要旨とする。
【０００８】
これによれば、回転体を回転させながら、表示させる映像に応じて、回転中心を通る線上に一列に配列された複数の発光素子の発光、非発光を制御することにより、回転体の１／２回転ごとに１画像を表示させることができる。
【０００９】
この回転型表示装置において、前記回転体は、複数の回転パネルの辺が前記回転中心を中心にして放射状に等角度で配置されるように一体化した形状を有し、前記回転体におけ
る複数の辺に発光素子がそれぞれ一列に配列されていることを要旨とする。
【００１０】
これによれば、回転体を回転させながら、表示させる映像に応じて、複数の発光素子の発光、非発光を制御することにより、回転体の１／（放射状に等角度で配置された複数の辺の数）回転ごとに１画像を表示させることができる。
【００１１】
この回転型表示装置において、前記回転体は、直方体形状の３つの回転パネルを含むことを要旨とする。
これによれば、回転体を回転させながら、表示させる映像に応じて、複数の発光素子の発光、非発光を制御することにより、回転体の１／３回転ごとに１画像を表示させることができる。
【００１２】
この回転型表示装置において、前記回転体は、直方体形状の４つの回転パネルを含むことを要旨とする。
これによれば、回転体を回転させながら、表示させる映像に応じて、複数の発光素子の発光、非発光を制御することにより、回転体の１／４回転ごとに１画像を表示させることができる。
【００１３】
この回転型表示装置において、前記辺に一列に配列されている前記複数の発光素子の発光強度を、前記回転中心を中心にして外側ほど強くすることを要旨とする。
これによれば、複数の発光素子の発光強度を回転中心を中心にして外側ほど強くすることで、複数の発光素子間での輝度差を補正することができる。したがって、複数の発光素子によって映像を均一な輝度で表示することができる。
【００１４】
この回転型表示装置において、前記辺に一列に配列されている前記複数の発光素子の配置密度を、前記回転中心を中心にして外側ほど密にすることを要旨とする。
これによれば、複数の発光素子の配置密度を、回転中心を中心にして外側ほど密にすることで、複数の発光素子間での輝度差を補正することができる。したがって、複数の発光素子によって映像を均一な輝度で表示することができる。
【００１５】
この回転型表示装置において、前記辺に一列に配列されている前記複数の発光素子の表示周期を、前記回転中心を中心にして外側ほど短くすることを要旨とする。
なお、ここにいう「表示周期」とは、各発光素子で表示を切り替える周期をいう。例えば、図８に示す例では、一番内側の発光素子では１／８回転ごとに表示を切り替え、一番外側の発光素子では１／１６回転ごとに表示を切り替え、その間にある発光素子では１／１２回転ごとに表示を切り替えるようになっている。
【００１６】
これによれば、回転体の回転パネルの上辺に一列に配列されている複数の発光素子の表示周期を、回転中心を中心にして外側ほど短くすることで、複数の発光素子間での解像度のばらつきを抑制することができる。
【００１７】
この回転型表示装置において、前記直方体形状の１つの回転パネルの両面の少なくとも一方がディスプレイとなっており、前記ディスプレイが、異なる方向から撮影した画像を前記回転体の回転周期に同期して表示する回転表示部であることを要旨とする。
【００１８】
これによれば、回転パネルのディスプレイによって、異なる方向から撮影した人物等の全周囲の画像を３次元的に表示することができるとともに、複数の発光素子によって、人物等を上から撮影した動きのある画像を３次元的に表示することができる。
【００１９】
この回転型表示装置において、前記複数の回転パネルの両面がそれぞれディスプレイと
なっており、これら複数のディスプレイのうち、隣接する２つのディスプレイにより、異なる方向から撮影した画像を前記回転体の回転周期に同期して表示する１つの回転表示部がそれぞれ構成されていることを要旨とする。
【００２０】
これによれば、複数の回転パネルの両面がそれぞれディスプレイとなっており、これら複数のディスプレイのうち、回転パネルの隣接する２つによって、異なる方向から撮影した人物等の全周囲の画像を３次元的に表示することができる。これとともに、複数の発光素子によって、人物等を上から撮影した動きのある画像を３次元的に表示することができる。
【００２１】
この回転型表示装置において、前記複数の発光素子が一列に配列される前記辺を、前記回転中心に垂直な方向に対して傾斜させたことを要旨とする。
これによれば、複数の発光素子が一列に配列される前記辺を、回転中心に垂直な方向に対して傾斜させたので、複数の発光素子の深さの差（回転中心に沿った方向における各発光素子の位置ずれ）を反映したデータを作ることで、より立体的な表示を実現できる。
【００２２】
この回転型表示装置において、前記回転体は、前記回転中心に沿った方向に離れた両側に、前記回転中心に垂直な１つの面をそれぞれ有する円柱体或いは多角形状の柱状体であり、前記回転体の両側の少なくとも一方の面に、前記複数の発光素子が前記回転中心を通って一列或いは複数列に配列されていることを要旨とする。
【００２３】
これによれば、円柱体或いは多角形状の柱状体である回転体を回転させながら、表示させる映像に応じて複数の発光素子の発光、非発光を制御することにより、画像を表示させることができる。
【００２４】
この回転型表示装置において、前記回転体の外周に複数のディスプレイが形成されており、前記複数のディスプレイの各々が、異なる方向から撮影した画像を前記回転体の回転周期に同期してそれぞれ表示する１つの回転表示部であることを要旨とする。
【００２５】
これによれば、回転体の複数のディスプレイによって、異なる方向から撮影した人物等の全周囲の画像を３次元的に表示することができるとともに、発光素子によって、人物等を上から撮影した動きのある画像を３次元的に表示することができる。
【発明を実施するための最良の形態】
【００２６】
以下、本発明を具体化した各実施形態を、図面に基づいて説明する。
[ 第１実施形態] 
第１実施形態に係る回転型表示装置１を、図１及び図２に基づいて説明する。図１は第１実施形態に係る回転型表示装置１を示す斜視図であり、図２は図１に示す回転体を上方から見た平面図である。
【００２７】
この回転型表示装置１は、図１に示すように、台座２と、台座２上に回転可能に支持された回転体３と、回転体３を回転させるモータ４とを備える。
回転体３の底面はモータ４の回転軸６に固定され、回転軸６がモータ４により回転駆動されることにより、回転体３が略垂直な仮想の回転中心７を中心に回転するようになっている。
【００２８】
回転体３は、回転中心７に垂直な２つの辺５ａ、５ｂを有する直方体形状の１つの回転パネル５からなり、回転パネル５の２つの辺５ａ、５ｂの一方（上辺５ａ）に、複数のＬＥＤ素子（発光素子）８が回転中心７を通る線上に一列に配列されている。本実施形態では、説明を簡単にするために一例として、回転パネル５の上辺５ａには、８個のＬＥＤ素
子８が回転中心７を通る線上に一列に配列されている。そして、８個のＬＥＤ素子８のうちの４個は回転パネル５の上辺５ａにおける回転中心７より左半分に等間隔で（均一なピッチＰ１で）、残りの４個はその上辺５ａにおける回転中心７より右半分に等間隔で（均一なピッチＰ１で）それぞれ配置されている。
【００２９】
こうして回転体３をモータ４により回転させながら、表示させる映像に応じて、８個のＬＥＤ素子８の発光、非発光を制御することにより、回転体３の１／２回転ごとに１画像を表示させることができる。この場合、８個のＬＥＤ素子８により表示される画像を、観察位置である視点Ａで観察することができる。
【００３０】
以上のように構成された第１実施形態によれば、以下の作用効果を奏する。
○回転体３をモータ４により回転させながら、表示させる映像に応じて、８個のＬＥＤ素子８の発光、非発光を制御することにより、回転体３の１／２回転ごとに１画像を表示させることができる。
【００３１】
[ 第２実施形態] 
次に、第２実施形態に係る回転型表示装置１Ａを、図３に基づいて説明する。図３は、本実施形態に係る回転型表示装置の回転体を図２と同様に上方から見た平面図である。
【００３２】
第２実施形態に係る回転型表示装置１Ａにおいて、回転体３Ａは、回転中心７に垂直な辺（３つの上辺５１ａ，５２ａ，５３ａ及び３つの下辺）を両側にそれぞれ有する直方体形状の３つの回転パネル５１，５２，５３を備える。回転体３Ａは、それらの回転パネル５１，５２，５３を、各回転パネルの上辺及び下辺が回転中心７を中心にして放射状に等角度で（１２０度の角度で）配置されるように一体化した形状を有する。また、回転体３Ａの両側の一方において、放射状に１２０度の角度で配置された３つの上辺５１ａ，５２ａ，５３ａに４個のＬＥＤ素子８がそれぞれ一列に配列されている。
【００３３】
以上のように構成された第２実施形態によれば、以下の作用効果を奏する。
○回転体３Ａを上記モータ４（図１参照）により回転させながら、表示させる映像に応じて、１２（４×３）個のＬＥＤ素子８の発光、非発光を制御することにより、回転体３Ａの１／３回転ごとに１画像を表示させることができる。
【００３４】
[ 第３実施形態] 
次に、第３実施形態に係る回転型表示装置１Ｂを、図４に基づいて説明する。図４は、本実施形態に係る回転型表示装置の回転体を図２と同様に上方から見た平面図である。
【００３５】
第３実施形態に係る回転型表示装置１Ｂにおいて、回転体３Ｂは、回転中心７に垂直な辺（４つの上辺５１ａ，５２ａ，５３ａ，５４ａ及び４つの下辺）を両側にそれぞれ有する直方体形状の４つの回転パネル５１，５２，５３、５４を備える。回転体３Ｂは、各回転パネル５１，５２，５３、５４の上辺及び下辺が回転中心７を中心にして放射状に等角度で（９０度の角度で）配置されるように一体化した形状を有する。また、回転体３Ｂの両側の一方において、放射状に９０度の角度で配置された４つの上辺５１ａ，５２ａ，５３ａ，５４ａに４個のＬＥＤ素子８がそれぞれ一列に配列されている。
【００３６】
以上のように構成された第３実施形態によれば、以下の作用効果を奏する。
○回転体３Ｂを上記モータ４（図１参照）により回転させながら、表示させる映像に応じて、１６（４×４）個のＬＥＤ素子８の発光、非発光を制御することにより、回転体３Ｂの１／４回転ごとに１画像を表示させることができる。
【００３７】
[ 第４実施形態] 
次に、第４実施形態に係る回転型表示装置１Ｃを、図５及び図６に基づいて説明する。図５は、本実施形態に係る回転型表示装置の回転体を図２と同様に上方から見た平面図である。また、図６は、上記第１実施形態と同様の構成（但し、図６では６個のＬＥＤ素子８を示している）において、１／８回転ごとのＬＥＤ素子８の位置を示してある。図２に示す上記第１実施形態及び図６に示す回転型表示装置のように、同一のＬＥＤ素子８を均一なピッチ（Ｐ１）で配置した場合、各ＬＥＤ素子８の設置位置での角速度の違いから、外側のＬＥＤ素子８ほど輝度が低下すると思われる。
【００３８】
そこで、図５に示す第４実施形態に係る回転型表示装置１Ｃでは、回転体３Ｃの回転パネル５の上辺５ａに一列に配列されている複数のＬＥＤ素子８の発光強度を、回転中心７を中心にして外側ほど強くすることで、複数のＬＥＤ素子８間での輝度差を補正するようになっている。なお、本実施形態では、説明を簡単にするために一例として、回転パネル５の上辺５ａには、１０個のＬＥＤ素子８が回転中心７を通る線上に一列に配列されている。そして、１０個のＬＥＤ素子８のうちの５個は回転パネル５の上辺５ａにおける回転中心７より左半分に等間隔に、残りの５個はその上辺５ａにおける回転中心７より右半分に等間隔でそれぞれ配置されている。
【００３９】
以上のように構成された第４実施形態によれば、上記第１実施形態の奏する作用効果に加えて以下の作用効果を奏する。
○複数のＬＥＤ素子８の発光強度を、回転中心７を中心にして外側ほど強くすることで、複数のＬＥＤ素子８間での輝度差を補正することができる。したがって、複数のＬＥＤ素子８によって映像を均一な輝度で表示することができる。
【００４０】
[ 第５実施形態] 
次に、第５実施形態に係る回転型表示装置１Ｄを図７に基づいて説明する。
上述したように、図６に示す回転型表示装置のように同一のＬＥＤ素子８を均一なピッチで配置した場合、各ＬＥＤ素子８の設置位置での角速度の違いから、外側のＬＥＤ素子８ほど輝度が低下すると思われる。
【００４１】
そこで、第５実施形態に係る回転型表示装置１Ｄでは、回転体３Ｄの回転パネル５の上辺５ａに一列に配列されている複数のＬＥＤ素子８の配置密度を、回転中心７を中心にして外側ほど密にすることで、複数のＬＥＤ素子８間での輝度差を補正するようになっている。
【００４２】
以上のように構成された第５実施形態によれば、上記第１実施形態の奏する作用効果に加えて以下の作用効果を奏する。
○複数のＬＥＤ素子８の配置密度を、回転中心７を中心にして外側ほど密にすることで、複数のＬＥＤ素子８間での輝度差を補正することができる。したがって、複数のＬＥＤ素子８によって映像を均一な輝度で表示することができる。
【００４３】
[ 第６実施形態] 
次に、第６実施形態に係る回転型表示装置１Ｅを図８に基づいて説明する。
図２に示す上記第１実施形態及び図６に示す回転型表示装置のように、同一のＬＥＤ素子８を均一なピッチで配置した場合、各ＬＥＤ素子８の設置位置での角速度の違いから、外側のＬＥＤ素子８ほど輝度だけでなく解像度も落ちると思われる。
【００４４】
そこで、第６実施形態に係る回転型表示装置１Ｅでは、回転体３Ｅの回転パネル５の上辺５ａに一列に配列されている複数のＬＥＤ素子８の表示周期を、回転中心７を中心にして外側ほど短くすることで、複数のＬＥＤ素子８間での解像度のばらつきを無くすようになっている。
【００４５】
本例では、例えば、図８に示すように、一番内側のＬＥＤ素子８では１／８回転ごとに表示を切り替え、一番外側のＬＥＤ素子８では１／１６回転ごとに表示を切り替え、その間にあるＬＥＤ素子８では１／１２回転ごとに表示を切り替えるようになっている。
【００４６】
以上のように構成された第６実施形態によれば、上記第１実施形態の奏する作用効果に加えて以下の作用効果を奏する。
○回転体３Ｅの回転パネル５の上辺５ａに一列に配列されている複数のＬＥＤ素子８の表示周期を、回転中心７を中心にして外側ほど短くすることで、複数のＬＥＤ素子８間での解像度のばらつきを抑制することができる。
【００４７】
[ 第７実施形態] 
次に、第７実施形態に係る回転型表示装置１Ｆを図９及び図１０に基づいて説明する。
本実施形態に係る回転型表示装置１Ｆは、図１に示す上記第１実施形態において、回転パネル５Ｆの両面の一方がディスプレイ２１となっており、このディスプレイ２１が、異なる方向から撮影した画像を回転体３Ｆの回転周期に同期して表示する。ディスプレイ２１は、例えば液晶ディスプレイ等の平面型のディスプレイで構成されている。
【００４８】
回転体３Ｆをモータ４により回転させることにより、異なる方向から撮影した画像を回転体３Ｆの回転周期に同期して、ディスプレイ２１により表示させるようになっている。
例えば、人物などの被写体を異なる４つの方向からそれぞれ撮影した画像を、図９の矢印で示す時計方向に回転される回転体３Ｆが１回転する間の０°〜９０°、９０°〜１８０°、１８０°〜２７０°、及び２７０°〜３６０°の各表示期間に表示させる。この場合、４つの方向からそれぞれ撮影した画像を、互いに９０°ずれた観察位置である視点Ａ〜Ｄで観察することができる。
【００４９】
例えば、視点Ａでディスプレイ２１を見ると、ディスプレイ２１が視点Ａと正対する位置（図９の位置）を中心とする所定の角度範囲で、人物を正面から撮影した複数フレームの画像を観察できる（図１０（ａ）参照）。
【００５０】
視点Ｄでディスプレイ２１を見ると、ディスプレイ２１が視点Ｄと正対する位置を中心とする所定の角度範囲で、人物を右側面から撮影した複数フレームの画像を観察できる（図１０（ｄ）参照）。
【００５１】
視点Ｃでディスプレイ２１を見ると、ディスプレイ２１が視点Ｃと正対する位置を中心とする所定の角度範囲で、人物を背面から撮影した複数フレームの画像を観察できる（図１０（ｃ）参照）。
【００５２】
そして、視点Ｂでディスプレイ２１を見ると、ディスプレイ２１が視点Ｂと正対する位置を中心とする所定の角度範囲で、人物を左側面から撮影した複数フレームの画像を観察できる（図１０（ｂ）参照）。
【００５３】
このように回転型表示装置１Ｆでは、モータ４で回転軸６を回転駆動して、回転体３Ｆを図９の矢印方向にある回転数で回転させる。そして、４つの方向から撮影した画像が回転体３Ｆの回転周期に同期してディスプレイ２１により表示されるように、ディスプレイ２１を駆動制御する。
【００５４】
このように回転体３Ｆを駆動制御しながら、ある回転数で回転している回転体３Ｆのディスプレイ２１を視点Ａで見ると、図１０（ａ）に示すような人物を正面から撮影した動きのある画像が３次元的に表示される。ディスプレイ２１を視点Ｄで見ると、図１０（ｄ
）に示すような人物を右側面から撮影した動きのある画像が３次元的に表示される。ディスプレイ２１を視点Ｃで見ると、図１０（ｃ）に示すような人物を背面から撮影した動きのある画像が３次元的に表示される。そして、ディスプレイ２１を視点Ｂで見ると、図１０（ｂ）に示すような人物を左側面から撮影した動きのある画像が３次元的に表示される。
【００５５】
さらに、回転パネル５Ｆの上辺５ａに一列に配列した８個のＬＥＤ素子８の発光、非発光を制御することにより、回転体３Ｆの１／２回転ごとに１画像を表示させることができる。この場合、８個のＬＥＤ素子８によって、図１０（ｅ）に示すような人物を上から撮影した動きのある画像が３次元的に表示される。この画像を、観察位置である視点Ｅで観察することができる。
【００５６】
以上のように構成された第７実施形態によれば、上記第１実施形態の奏する作用効果に加えて以下の作用効果を奏する。
○回転体３Ｆのディスプレイ２１によって、異なる方向から撮影した図１０（ａ）〜（ｄ）に示すような人物等の全周囲の画像を３次元的に表示することができるとともに、８個のＬＥＤ素子８によって、図１０（ｅ）に示すような人物等を上から撮影した動きのある画像を３次元的に表示することができる。これにより、従来の構成では画像を表示できない領域（パネル上面）にも画像を表示することにより、よりリアルな立体表示が可能になる。
【００５７】
[ 第８実施形態] 
次に、第８実施形態に係る回転型表示装置１Ｇを図１１及び図１２に基づいて説明する。
【００５８】
この回転型表示装置１Ｇは、図４に示す上記第３実施形態に係る回転型表示装置１Ｂにおいて、４つの回転パネル５１〜５４の両面がそれぞれ図９に示すディスプレイ２１と同様のディスプレイ３１〜３８となっている。
【００５９】
これら８つのディスプレイ３１〜３８のうち、隣接する２つのディスプレイ、つまりディスプレイ３１，３２、ディスプレイ３３，３４、ディスプレイ３５，３６、及びディスプレイ３７，３８により、異なる方向から撮影した画像を回転体３Ｇの回転周期に同期して表示する１つの回転表示部がそれぞれ構成されている。
【００６０】
本例では、例えば、回転体３Ｇを駆動制御しながら、ある回転数で回転している回転体３Ｇのディスプレイ３３，３４で構成される１つの回転表示部を視点Ａで見ると、図１０（ａ）に示すような人物を正面から撮影した動きのある画像が３次元的に表示される。ディスプレイ３５，３６で構成される１つの回転表示部を視点Ｄで見ると、図１０（ｄ）に示すような人物を右側面から撮影した動きのある画像が３次元的に表示される。ディスプレイ３７，３８で構成される１つの回転表示部を視点Ｃで見ると、図１０（ｃ）に示すような人物を背面から撮影した動きのある画像が３次元的に表示される。そして、ディスプレイ３１，３２で構成される１つの回転表示部を視点Ｂで見ると、図１０（ｂ）に示すような人物を左側面から撮影した動きのある画像が３次元的に表示される。
【００６１】
さらに、５１〜５４の上辺５１ａ，５２ａ，５３ａ，５４ａにそれぞれ４個ずつ一列に配列したＬＥＤ素子８の発光、非発光を制御することにより、回転体３Ｇの１／４回転ごとに１画像を表示させることができる。この場合、複数のＬＥＤ素子８によって、図１０（ｅ）に示すような人物を上から撮影した動きのある画像が３次元的に表示される。
【００６２】
以上のように構成された第８実施形態によれば、上記第１実施形態の奏する作用効果に
加えて以下の作用効果を奏する。
○８つのディスプレイ３１〜３８のうち、隣接する２つのディスプレイ、つまりディスプレイ３１，３２、ディスプレイ３３，３４、ディスプレイ３５，３６、及びディスプレイ３７，３８によって、異なる方向から撮影した人物等の全周囲の画像を３次元的に表示することができる。これとともに、複数のＬＥＤ素子８によって、人物等を上から撮影した動きのある画像を３次元的に表示することができる。これにより、従来の構成では画像を表示できない領域（パネル上面）にも画像を表示することにより、よりリアルな立体表示が可能になる。
【００６３】
[ 第９実施形態] 
次に、第９実施形態に係る回転型表示装置１Ｈを図１３に基づいて説明する。
図９に示す上記第７実施形態に係る回転型表示装置１Ｆでは、回転パネル５Ｆの上辺５ａが回転中心７に対して垂直な面になっている。これに対して、第９実施形態に係る回転型表示装置１Ｈは、回転パネル５Ｈの上辺４０を、回転中心７に垂直な方向に対して傾斜させている点で、上記第７実施形態とは異なる。本実施形態では、その上辺４０を、回転中心７の位置が中間の高さｈとなるように傾斜させている。符号３Ｈは回転体である。
【００６４】
以上のように構成された第９実施形態によれば、上記第１実施形態及び上記第７実施形態の奏する作用効果に加えて以下の作用効果を奏する。
○回転パネル５Ｈの上辺４０を回転中心７の位置が中間の高さとなるように傾斜させ、この上辺４０に複数のＬＥＤ素子８を配置してあるので、複数のＬＥＤ素子８の深さの差（回転中心７に沿った方向における各ＬＥＤ素子８の位置ずれ）を反映したデータを作ることで、より立体的な表示を実現できる。
【００６５】
○複数のＬＥＤ素子８による表示を上からだけでなく、斜め上方からも見ることができる。
[ 第１０実施形態] 
次に、第１０実施形態に係る回転型表示装置１Ｉを図１４に基づいて説明する。
【００６６】
第１０実施形態に係る回転型表示装置１Ｉは、複数のＬＥＤ素子８が一列に配列される回転パネル５Ｉの上辺４１，４２を、回転中心７に垂直な方向に対して傾斜させている点で、上記第７実施形態とは異なる。本実施形態では、その上辺４１，４２を、回転中心７の位置が回転中心７が通る位置が最も高くなる（高さ２ｈになる）ように傾斜させている。符号３Ｉは回転体である。
【００６７】
以上のように構成された第１０実施形態によれば、上記第１実施形態及び上記第７実施形態の奏する作用効果に加えて以下の作用効果を奏する。
○回転パネル５Ｉの上辺４１，４２を、回転中心７が通る位置が最も高くなるように傾斜させて、これらの４１，４２に複数のＬＥＤ素子８を配置してあるので、複数のＬＥＤ素子８の深さの差（回転中心７に沿った方向における各ＬＥＤ素子８の位置ずれ）を反映したデータを作ることで、より立体的な表示を実現できる。
【００６８】
○複数のＬＥＤ素子８による表示を上からだけでなく、斜め上方からも見ることができる。
[ 第１１実施形態] 
次に、第１１実施形態に係る回転型表示装置１Ｊを図１５に基づいて説明する。
【００６９】
この回転型表示装置１Ｊでは、回転体３Ｊが回転中心７に沿った方向に離れた両側に、回転中心７に垂直な面７１，７２を有する四角形の柱状体５Ｊを用いている。この柱状体５Ｊの一方の面７１に、複数のＬＥＤ素子８が回転中心７を通って十字形（２列）に配列
されている。
【００７０】
また、この回転型表示装置１Ｊでは、柱状体５Ｊの４つの面がディスプレイ６１〜６４となっており、これらのディスプレイ６１〜６４が、異なる方向から撮影した画像を柱状体５Ｊの回転周期に同期して表示するようになっている。
【００７１】
以上のように構成された第１１実施形態によれば、上記第１実施形態の奏する作用効果に加えて以下の作用効果を奏する。
○柱状体５Ｊのディスプレイ６１〜６４によって、異なる方向から撮影した人物等の全周囲の画像を３次元的に表示することができるとともに、１６個のＬＥＤ素子８によって、人物等を上から撮影した動きのある画像を３次元的に表示することができる。
【００７２】
[ 変形例] 
なお、この発明は以下のように変更して具体化することもできる。
・上記各実施形態で用いるＬＥＤ素子８の数は一例であり、他の数のＬＥＤ素子８を用いる構成にも本発明は適用可能である。
【００７３】
・上記第１実施形態では、回転パネル５の２つの辺５ａ、５ｂの一方（上辺５ａ）に複数のＬＥＤ素子８を配置した構成について一例として説明したが、２つの辺５ａ、５ｂの他方（下辺５ｂ）或いは２つの辺５ａ、５ｂの両方に複数のＬＥＤ素子８を配置した構成にも本発明は適用可能である。これと同様のことは、他の実施形態にも言える。
【００７４】
・本発明は図３に示す上記第２実施形態のように直方体形状の３つの回転パネル５１〜５３を有する構成或いは図４に示す上記第３実施形態のように直方体形状の４つの回転パネル５１〜５４を有する構成に限定されない。本発明は、回転体が、回転中心７に垂直な辺を両側にそれぞれ有する直方体形状の複数（２〜４より多い数）の回転パネルを、各回転パネルの辺が回転中心７を中心にして放射状に等角度で配置されるように一体化した形状を有する構成にも適用可能である。
【００７５】
・図１５に示す上記第１１実施形態では、回転体３Ｊとして四角形の柱状体５Ｊを用いているが、本発明はこれに限定されない。回転体３Ｊは、回転中心７に沿った方向に離れた両側に、回転中心７に垂直な面をそれぞれ有する円柱体或いは四角以外の多角形状の柱状体であっても良い。
【００７６】
・図９、図１１、図１３、図１４及び図１５に示す上記各実施形態では、回転体に設けたディスプレイを液晶ディスプレイ等の平面型のディスプレイとしているが、そのディスプレイに有機ＥＬディスプレイ、ＦＥＤ、プラズマディスプレイ（ＰＤＰ）などの平面型のディスプレイを使用する構成にも本発明は適用可能である。
【図面の簡単な説明】
【００７７】
【図１】第１実施形態に係る回転型表示装置を示す斜視図。
【図２】第１実施形態に係る回転型表示装置の回転体を上から見た平面図。
【図３】第２実施形態に係る回転型表示装置の回転体を上から見た平面図。
【図４】第３実施形態に係る回転型表示装置の回転体を上から見た平面図。
【図５】第４実施形態に係る回転型表示装置の回転体を上から見た平面図。
【図６】第１実施形態と同様の構成において１／８回転ごとのＬＥＤ素子の位置を示す説明図。
【図７】第５実施形態に係る回転型表示装置の回転体を上から見た平面図。
【図８】第６実施形態に係る回転型表示装置の回転体を上から見た平面図。
【図９】第７実施形態に係る回転型表示装置を示す斜視図。
【図１０】（ａ）〜（ｅ）は第７実施形態による表示画像を示す説明図。
【図１１】第８実施形態に係る回転型表示装置を示す斜視図。
【図１２】第８実施形態に係る回転型表示装置の回転体を上から見た平面図。
【図１３】第９実施形態に係る回転型表示装置の側面図。
【図１４】第１０実施形態に係る回転型表示装置の側面図。
【図１５】第１１実施形態に係る回転型表示装置を示す斜視図。
【符号の説明】
【００７８】
１，１Ａ，１Ｂ，１Ｃ，１Ｄ，１Ｅ，１Ｆ，１Ｇ，１Ｈ，１Ｉ，１Ｊ…回転型表示装置、３，３Ａ，３Ｂ，３Ｃ，３Ｄ，３Ｅ，３Ｆ，３Ｇ，３Ｈ，３Ｉ，３Ｊ…回転体、５，５１〜５３，５１〜５４，５Ｆ，５Ｈ，５Ｉ…回転パネル、５Ｊ…柱状体、５ａ，５ｂ，４０，４１，４２，５１ａ〜５３ａ，５１ａ〜５４ａ…上辺（辺）、７…回転中心、８…発光素子としてのＬＥＤ素子，２１，３１〜３８，６１〜６４…ディスプレイ、７１，７２…面。
【図１】
2005308980.tif 000003
【図２】
2005308980.tif 000004
【図３】
2005308980.tif 000005
【図４】
2005308980.tif 000006
【図５】
2005308980.tif 000007
【図６】
2005308980.tif 000008
【図７】
2005308980.tif 000009
【図８】
2005308980.tif 000010
【図９】
2005308980.tif 000011
【図１０】
2005308980.tif 000012
【図１１】
2005308980.tif 000013
【図１２】
2005308980.tif 000014
【図１３】
2005308980.tif 000015
【図１４】
2005308980.tif 000016
【図１５】
2005308980.tif 000017